(57)【要約】  清掃用カートが清掃用品を支持し、該清掃用カートの長さ及び幅の少なくとも一方を変更するように調整可能な長さを画定するバーと、前記バーに連結されていると共に、該バーの前記長さを変えることによって調整可能である距離だけ離間している第１の車輪及び第２の車輪と、前記バーに連結されていると共に該バーから上方に延びる支柱と、前記バー及び前記支柱の少なくとも一方に連結されていると共に清掃用品を内部に保持するように構成される容器とを備える。
2012500147.tif 000002
【特許請求の範囲】
【請求項１】
清掃用品を支持する清掃用カートであって、
前記清掃用カートの長さ及び幅の少なくとも一方を変更するように調整可能な長さを画定するバーと、
前記バーに連結されていると共に、前記バーの前記長さを変えることによって調整可能である距離だけ離間している第１の車輪及び第２の車輪と、
前記バーに連結されていると共に前記バーから上方に延びる支柱と、
前記バー及び前記支柱の少なくとも一方に連結されていると共に前記清掃用品を内部に保持するように構成される容器と、
を備える、清掃用カート。
【請求項２】
前記支柱は長さを調整可能である、請求項１に記載の清掃用カート。
【請求項３】
前記容器は、前記カートに対して収納位置と展開位置との間で移動するように連結されている、請求項１に記載の清掃用カート。
【請求項４】
前記容器に連結されているユーザー操作可能な制御部をさらに備え、前記ユーザー操作可能な制御部は、前記容器、及び前記容器を支持する容器フレームの一方を前記支柱に対して収納位置と展開位置との間で移動させるように動作可能である、請求項１に記載の清掃用カート。
【請求項５】
前記ユーザー操作可能な制御部は、前記容器及び前記容器フレームの他方を前記支柱に対して収納位置と展開位置との間で移動させるように動作可能である、請求項４に記載の清掃用カート。
【請求項６】
前記支柱は第１の支柱であり、前記清掃用カートは、前記第１の支柱から或る距離を離間していると共に前記バーに連結されている第２の支柱をさらに備え、前記第１の支柱及び前記第２の支柱はこれらの間で前記容器を支持する、請求項１に記載の清掃用カート。
【請求項７】
第１の位置にあるときに前記容器の取り出しを阻止すると共に第２の位置にあるときに前記容器の取り出しを可能にするように位置決めされるバリアをさらに備える、請求項１に記載の清掃用カート。
【請求項８】
前記支柱に連結されていると共に前記容器を前記カート内において垂下させた関係で支持するように位置決めされる複数のブラケットをさらに備える、請求項１に記載の清掃用カート。
【請求項９】
前記容器は、前記ブラケットの少なくとも１つへ出入りするように水平方向に摺動可能である、請求項８に記載の清掃用カート。
【請求項１０】
清掃用品を支持する清掃用カートであって、
バーと、
前記バーに連結されている第１の車輪及び第２の車輪と、
前記バーに連結されており、前記バーから上方に延び、前記清掃用カートの高さを少なくとも部分的に画定し、かつ前記清掃用カートの前記高さを変更するように調整可能な長さを有する支柱と、
前記バー及び前記支柱の少なくとも一方に連結されていると共に、前記清掃用品を内部に保持するように構成される容器と、
を備える、清掃用カート。
【請求項１１】
前記バーは、前記清掃用カートの長さ及び幅の少なくとも一方を変更するように調整可能な長さを有する、請求項１０に記載の清掃用カート。
【請求項１２】
前記容器は、前記カートに対して収納位置と展開位置との間で移動するように連結されている、請求項１０に記載の清掃用カート。
【請求項１３】
前記容器に連結されているユーザー操作可能な制御部をさらに備え、前記ユーザー操作可能な制御部は、前記容器、及び前記容器を支持する容器フレームの一方を前記バーに対して収納位置と展開位置との間で移動させるように動作可能である、請求項１０に記載の清掃用カート。
【請求項１４】
前記ユーザー操作可能な制御部は、前記容器及び前記容器フレームの他方を前記バーに対して収納位置と展開位置との間で移動させるように動作可能である、請求項１３に記載の清掃用カート。
【請求項１５】
前記支柱は第１の支柱であり、前記清掃用カートは、前記第１の支柱から或る距離を離間していると共に前記バーに連結されている第２の支柱をさらに備え、前記第１の支柱及び前記第２の支柱はこれらの間で前記容器を支持する、請求項１０に記載の清掃用カート。
【請求項１６】
第１の位置にあるときに前記容器の取り出しを阻止すると共に第２の位置にあるときに前記容器の取り出しを可能にするように位置決めされるバリアをさらに備える、請求項１０に記載の清掃用カート。
【請求項１７】
前記支柱に連結されていると共に前記容器を前記カート内において垂下させた関係で支持するように位置決めされる複数のブラケットをさらに備える、請求項１０に記載の清掃用カート。
【請求項１８】
前記容器は、前記ブラケットの少なくとも１つへ出入りするように水平方向に摺動可能である、請求項１７に記載の清掃用カート。
【請求項１９】
清掃用品を支持する清掃用カートであって、
カートフレームと、
前記カートフレームに対して可動である少なくとも１つの容器と、
前記カートフレームに可動に連結され、前記少なくとも１つの容器を前記カートフレーム上で支持する容器フレームであって、前記容器は、前記容器フレーム内から取り出し可能であると共に取り替え可能である、容器フレームと、
前記容器フレームに連結されていると共に、前記容器及び前記容器フレームを前記主フレームに対して収納位置と展開位置との間で移動させるように動作可能であるユーザー操作可能な制御部と、
を備える、清掃用カート。
【請求項２０】
前記容器は、前記収納位置と前記展開位置との間で前記カートフレームに対して並進移動と回転との組み合わせで移動可能である、請求項１９に記載の清掃用カート。
【請求項２１】
前記カートフレームは支柱及びバーを含み、前記支柱及び前記バーの少なくとも一方は、前記カートフレームの高さ、長さ及び幅の少なくとも１つを変えるように調整可能である、請求項１９に記載の清掃用カート。
【請求項２２】
前記支柱及び前記バーの他方は、前記カートフレームの前記高さ、前記長さ及び前記幅のうちの別のものを変えるように調整可能である、請求項２１に記載の清掃用カート。
【請求項２３】
前記カートフレームは、前記少なくとも１つの容器を前記カートフレーム内において垂下させた関係で間に支持するように位置決めされる離間した第１の支柱及び第２の支柱を備える、請求項１９に記載の清掃用カート。
【請求項２４】
第１の位置にあるときに前記容器の少なくとも１つの取り出しを阻止すると共に第２の位置にあるときに前記容器の少なくとも１つの取り出しを可能にするように位置決めされるバリアをさらに備える、請求項１９に記載の清掃用カート。
【請求項２５】
前記カートフレームの支柱に連結されていると共に前記容器の少なくとも１つを前記カート内において垂下させた関係で支持するように位置決めされる複数のブラケットをさらに備える、請求項１９に記載の清掃用カート。
【請求項２６】
前記ユーザー操作可能な制御部は、２つの前記容器をそれぞれの前記収納位置と前記展開位置との間で同時に移動させるように動作可能である、請求項１９に記載の清掃用カート。
【請求項２７】
清掃用品を支持する清掃用カートであって、
カートフレームと、
前記カートフレームに対して可動である少なくとも１つの容器と、
前記カートフレームに可動に連結され、前記少なくとも１つの容器を前記カートフレーム上で支持する少なくとも１つの容器フレームであって、前記主フレームに対して収納位置と展開位置との間で並進移動と回転との組み合わせで可動である、少なくとも１つの容器フレームと、
を備える、清掃用カート。
【請求項２８】
四節リンク機構が前記容器フレームを前記主フレームに連結し、前記容器の回転及び並進移動の両方を可能にする、請求項２７に記載の清掃用カート。
【請求項２９】
前記カートフレームは支柱及びバーを含み、前記支柱及び前記バーの少なくとも一方は、前記カートフレームの高さ、長さ及び幅の少なくとも１つを変えるように調整可能である、請求項２７に記載の清掃用カート。
【請求項３０】
前記支柱及び前記バーの他方は、前記カートフレームの前記高さ、前記長さ及び前記幅のうちの別のものを変えるように調整可能である、請求項２９に記載の清掃用カート。
【請求項３１】
前記カートフレームは、前記少なくとも１つの容器を前記カートフレーム内において垂下させた関係で間に支持するように位置決めされる離間した第１の支柱及び第２の支柱を備える、請求項２７に記載の清掃用カート。
【請求項３２】
第１の位置にあるときに前記容器の少なくとも１つの取り出しを阻止すると共に第２の位置にあるときに前記容器の少なくとも１つの取り出しを可能にするように位置決めされるバリアをさらに備える、請求項２７に記載の清掃用カート。
【請求項３３】
前記カートフレームの支柱に連結されていると共に前記容器の少なくとも１つを前記カート内において垂下させた関係で支持するように位置決めされる複数のブラケットをさらに備える、請求項２７に記載の清掃用カート。
【請求項３４】
前記ユーザー操作可能な制御部は、２つの前記容器をそれぞれの前記収納位置と前記展開位置との間で同時に移動させるように動作可能である、請求項３３に記載の清掃用カート。
【請求項３５】
清掃用品を支持する清掃用カートであって、
フレームと、
前記フレーム上で支持されると共に前記清掃用カートの上部からアクセス可能である少なくとも１つの上部容器と、
前記フレーム上で支持されると共に前記清掃用カートの側部からアクセス可能である少なくとも１つの下部容器と、
前記少なくとも１つの上部容器及び前記少なくとも１つの下部容器の取り出しが阻まれる位置へと可動であり且つ前記取り出しが阻まれる位置から可動であるバリアと、
を備える、清掃用カート。
【請求項３６】
前記容器の少なくとも１つを回転及び並進移動させるように可動である四節リンク機構をさらに備える、請求項３５に記載の清掃用カート。
【請求項３７】
前記フレームは支柱及びバーを含み、前記支柱及び前記バーの少なくとも一方は、前記フレームの高さ、長さ及び幅の少なくとも１つを変えるように調整可能である、請求項３５に記載の清掃用カート。
【請求項３８】
前記支柱及び前記バーの他方は、前記カートフレームの前記高さ、前記長さ及び前記幅のうちの別のものを変えるように調整可能である、請求項３７に記載の清掃用カート。
【請求項３９】
前記フレームは、前記少なくとも１つの上部容器を前記フレーム内において垂下させた関係で間に支持するように位置決めされる離間した第１の支柱及び第２の支柱を備える、請求項３５に記載の清掃用カート。
【請求項４０】
前記バリアは前記フレームに対して回転可能である、請求項３５に記載の清掃用カート。
【請求項４１】
前記バリアは前記フレームの部材内で後退可能である、請求項３５に記載の清掃用カート。
【請求項４２】
前記上部容器の少なくとも１つの内部へのアクセスが前記バリアの少なくとも１つの位置にある前記バリアによって阻まれる、請求項３５に記載の清掃用カート。
【発明の詳細な説明】
【技術分野】
【０００１】
［関連出願］
本願は、２００８年８月１３日に出願された米国仮特許出願第６１／０８８，６１８号の利益を主張する。
【０００２】
本発明は、種々の清掃及び保守用品並びに清掃及び保守用具、並びにそのような用品及び用具の容器及び固定具を保持するように構成されるカートに関する。
【背景技術】
【０００３】
広範な種々のサイズ及び形状の従来の清掃用カートが存在し、それぞれが１つ又は複数のタイプの清掃及び保守に適合されている。通常、各カートは、特定の作業環境及び用途に対して適合されており、これによって該カートが他のタイプの作業環境及び用途にはあまり適しなくなる。例えば、清掃の助けとなるように様々なサイズの従来の清掃用カートを使用することが多くの場合に必要である。このサイズの選択は、より大きな建築面積（例えば共用領域、大部屋、廊下等）を清掃する工程においては比較的大きな清掃用カートを使用し、より小さな建築面積（例えばいくつかのホテル部屋、浴室等）を清掃する工程ではより小さい清掃用カートを使用するという必要性に対して求められる場合がある。別の例として、清掃すべき異なる領域は、多くの場合に、異なる清掃方法及び／又は清掃用製品に対してカートの異なる構成を必要とする。異なる領域を清掃するために複数のサイズ及び構成のカートを購入し、所有し、運搬し、かつ保管することは不便であると共に費用がかかる。
【発明の概要】
【発明が解決しようとする課題】
【０００４】
したがって、清掃及び保守用のカートの向上が当該技術分野において依然として待ち望まれている。
【課題を解決するための手段】
【０００５】
いくつかの実施の形態では、清掃用品を支持する清掃用カートが提供され、該清掃用カートは、該清掃用カートの長さ及び幅の少なくとも一方を変更するように調整可能な長さを画定するバーと、前記バーに連結されていると共に、該バーの前記長さを変えることによって調整可能である距離だけ離間している第１の車輪及び第２の車輪と、前記バーに連結されていると共に該バーから上方に延びる支柱と、前記バー及び前記支柱の少なくとも一方に連結されていると共に前記清掃用品を内部に保持するように構成される容器と、を備える。
【０００６】
本発明のいくつかの実施の形態は、清掃用品を支持する清掃用カートを提供し、該清掃用カートは、バーと、前記バーに連結されている第１の車輪及び第２の車輪と、前記バーに連結されており、該バーから上方に延び、該清掃用カートの高さを少なくとも部分的に画定し、かつ該清掃用カートの前記高さを変更するように調整可能な長さを有する支柱と、前記バー及び前記支柱の少なくとも一方に連結されていると共に、前記清掃用品を内部に保持するように構成される容器と、を備える。
【０００７】
本発明のいくつかの実施の形態は、清掃用品を支持する清掃用カートを提供し、該清掃用カートは、カートフレームと、前記カートフレームに対して可動である少なくとも１つの容器と、前記カートフレームに可動に連結され、前記少なくとも１つの容器を該カートフレーム上で支持する容器フレームであって、前記容器は、該容器フレーム内から取り出し可能であると共に取り替え可能である、容器フレームと、前記容器フレームに連結されていると共に、前記容器及び前記容器フレームを前記主フレームに対して収納位置と展開位置との間で移動させるように動作可能であるユーザー操作可能な制御部と、を含む。
【０００８】
本発明のいくつかの実施の形態は、清掃用品を支持する清掃用カートを提供し、該清掃用カートは、カートフレームと、前記カートフレームに対して可動である少なくとも１つの容器と、前記カートフレームに可動に連結され、前記少なくとも１つの容器を該カートフレーム上で支持する少なくとも１つの容器フレームとを含む。該容器フレームは、前記主フレームに対して収納位置と展開位置との間で並進移動と回転との組み合わせで可動である。
【０００９】
本発明のいくつかの実施の形態は、清掃用品を支持する清掃用カートを提供し、該清掃用カートは、フレームと、前記フレーム上で支持されると共に該清掃用カートの上部からアクセス可能である少なくとも１つの上部容器と、前記フレーム上で支持されると共に該清掃用カートの側部からアクセス可能である少なくとも１つの下部（underlying）容器と、前記少なくとも１つの上部容器及び前記少なくとも１つの下部容器の取り出しが阻まれる位置へと可動であり且つ前記取り出しが阻まれる位置から可動であるバリアと、を含む。
【００１０】
本発明の他の態様は、詳細な説明及び添付の図面を検討することによって明らかになるであろう。
【図面の簡単な説明】
【００１１】
【図１】第１の形態にあるフレームを有する、本発明の一実施形態による清掃用カートの斜視図である。
【図２】第２の形態にあるフレームと共に示す、図１の清掃用カートの斜視図である。
【図３】収納位置にある支持トレイを含む、複数の固定具が取り付けられた状態で示す、図１及び図２の清掃用カートの斜視図である。
【図４】展開位置にある支持トレイと共に示す、図３の清掃用カートの斜視図である。
【図５】第２の形態において、展開位置にある異なる支持トレイと共に示す、図３及び図４の清掃用カートの斜視図である。
【図６】さらなる容器が載った状態で示す、図５の清掃用カートの斜視図である。
【図７】異なる構成の容器が載った状態で示す、図５及び図６の清掃用カートの斜視図である。
【図８】第１の形態にあるフレームを有する、本発明の別の実施形態による清掃用カートの斜視図である。
【図９】第２の形態にあるフレームと共に示す、図８の清掃用カートの斜視図である。
【図１０】第３の形態にあるフレームと共に示す、図８及び図９の清掃用カートの斜視図である。
【図１１】第４の形態にあるフレームと共に示す、図８〜図１０の清掃用カートの斜視図である。
【図１２】第４の形態にあるフレームと共に示す、容器支持体が載っている図８〜図１１の清掃用カートの斜視図である。
【図１３】さらなる固定具及び清掃用具が載っている第４の形態で示す、図８〜図１２の清掃用カートの斜視図である。
【図１４】第１の形態にあるフレームを有する、本発明のさらに別の実施形態による清掃用カートの斜視図である。
【図１５】さらなる固定具及び清掃用具が載った状態で示す、図１４の清掃用カートの斜視図である。
【図１６】代替的な構成のさらなる固定具及び清掃用具が載った状態で示す、図１５の清掃用カートの斜視図である。
【図１７】異なる構成の容器、固定具及び清掃用具が載った状態で示す、図１４の清掃用カートの斜視図である。
【図１８】別の構成の容器、固定具及び清掃用具が載った状態で、かつ第１のフレーム形態で示す、図１４の清掃用カートの斜視図である。
【図１９】別の構成の容器、固定具及び清掃用具が載った状態で、かつ第２のフレーム形態で示す、図１４の清掃用カートの斜視図である。
【図２０】さらに別の構成の容器、固定具及び清掃用具が載った状態で、かつ第２のフレーム形態で示す、図１４の清掃用カートの斜視図である。
【図２１】調整可能な長さを有する清掃用カートの底面斜視図である。
【図２２】調整可能な長さ及び調整可能な高さを有する清掃用カートの上面斜視図である。
【図２３】調整可能な高さを有し、かつ横方向に摺動する棚を含む、清掃用カートの斜視図である。
【図２４】横方向に摺動する棚を含む清掃用カートの斜視図である。
【図２５】収納位置において垂直軸を中心に回転可能な容器ホルダーの第１の実施形態の斜視図である。
【図２６】展開位置において垂直軸を中心に回転可能な容器ホルダーの第１の実施形態の斜視図である。
【図２７】収納位置において垂直軸を中心に回転可能な容器ホルダーの第２の実施形態の斜視図である。
【図２８】展開位置において垂直軸を中心に回転可能な容器ホルダーの第２の実施形態の斜視図である。
【図２９】本発明の一実施形態によるユーザー操作可能な容器制御部を有する清掃用カートの立面詳細図である。
【図３０】本発明の別の実施形態によるユーザー操作可能な容器制御部を有する清掃用カートの立面詳細図である。
【図３１】本発明の一実施形態によるユーザー操作可能な容器制御部を有する清掃用カートの立面詳細図である。
【図３２】本発明の一実施形態によるユーザー操作可能な容器制御部を有する清掃用カートの立面詳細図である。
【図３３】本発明の一実施形態によるユーザー操作可能な容器制御部を有する清掃用カートの立面詳細図である。
【図３４】本発明の一実施形態によるユーザー操作可能な容器制御部を有する清掃用カートの立面詳細図である。
【図３５】本発明の一実施形態によるユーザー操作可能な容器制御部を有する清掃用カートの立面詳細図である。
【図３６】本発明の別の実施形態による清掃用カートを或る１つの形態で示す斜視図である。
【図３７】本発明の別の実施形態による清掃用カートを或る１つの形態で示す斜視図である。
【図３８】本発明の別の実施形態による清掃用カートを或る１つの形態で示す斜視図である。
【図３９】本発明の別の実施形態による清掃用カートを或る１つの形態で示す斜視図である。
【図４０】本発明の別の実施形態による清掃用カートを或る１つの形態で示す斜視図である。
【図４１】本発明の別の実施形態による清掃用カートを或る１つの形態で示す斜視図である。
【図４２】本発明の別の実施形態による清掃用カートを或る１つの形態で示す斜視図である。
【図４３】本発明の別の実施形態による清掃用カートを或る１つの形態で示す斜視図である。
【図４４】本発明の別の実施形態による清掃用カートを或る１つの形態で示す斜視図である。
【図４５】本発明の別の実施形態による清掃用カートを或る１つの形態で示す斜視図である。
【図４６】本発明の一実施形態によるロック装置を有する清掃用カートの立面上面詳細図である。
【図４７】本発明の一実施形態によるロック装置を有する清掃用カートの立面上面詳細図である。
【図４８】本発明の別の実施形態によるロック装置を有する清掃用カートの斜視詳細図である。
【図４９】本発明の別の実施形態によるロック装置を有する清掃用カートの斜視詳細図である。
【図５０】本発明の別の実施形態によるロック装置を有する清掃用カートの斜視詳細図である。
【図５１】図４８〜図５０に示される清掃用カートのロック装置の斜視詳細図である。
【図５２】図４８〜図５０に示される清掃用カートのロック装置の斜視詳細図である。
【図５３】図４８〜図５０に示される清掃用カートのロック装置の斜視詳細図である。
【図５４】図４８〜図５０に示される清掃用カートのロック装置の斜視詳細図である。
【発明を実施するための形態】
【００１２】
本発明のいかなる実施形態も詳細に説明する前に、本発明は、その適用が、以下の説明に記載されるか、又は添付の図面に示される形態の詳細及び構成要素の配置に限定されないことを理解されたい。本発明は、他の実施形態が可能であり、また種々の方法で実行するか又は実施することが可能である。また、本明細書で使用される表現及び用語は説明のためのものであり、限定されるものとしてみなすべきではないことを理解されたい。本明細書において、「含む（including）」、「備える（comprising）」、又は「有する（having）」、及びその変化形の使用は、その前に列挙される物品（item）、その均等物、及びさらなる構成要素を包含することを意味する。別途明記又は限定されない限り、「取り付けられる」、「接続される」、「支持される」及び「連結される」という用語並びにその変化形は、広範に用いられ、直接的及び間接的両方の取り付け、接続、支持及び連結を包含する。さらに、「接続される」及び「連結される」は、物理的若しくは機械的な接続又は連結に限定されない。
【００１３】
図１及び図２は、第１の形態にあるフレーム１２を有する清掃用カート１０を示す。フレーム１２は、第１のバー１４及び第２のバー１６と、第１のバー１４及び第２のバー１６間に延びる第１のクロスバー１８及び第２のクロスバーと、それぞれの第１のクロスバー１８及び第２のクロスバー２０に連結されている第１の支柱２２及び第２の支柱２４とを備える。第１の支柱２２及び第２の支柱２４は、第１のクロスバー１８及び第２のクロスバー２０から実質的に垂直方向に上方に延びる。第１のバー１４及び第２のバー１６並びに第１のクロスバー１８及び第２のクロスバー２０は、水平な向きで示されている。しかし、他の実施形態では、第１のバー１４及び第２のバー１６並びに／又は第１のクロスバー１８及び第２のクロスバー２０は、フレーム１２の残りの部分を支持する機能を依然として果たしつつ、任意の所望の程度まで傾けることができる。同様に、第１の支柱２２及び第２の支柱２４は、垂直な向きで示されているが、他の実施形態では、その代わりに、以下でより詳細に説明するそれらの支持機能を依然として果たしつつ傾けてもよい。
【００１４】
第１の支柱２２及び第２の支柱２４は第１のクロスバー１８及び第２のクロスバー２０からそれぞれ延びるが、第１の支柱２２及び第２の支柱２４はその代わりに第１のバー１４及び第２のバー１６から延びてもよいことが理解されるであろう。また、２つよりも多いか又は少ない支柱をバー１４、１６及び／又はクロスバー１８、２０に連結してもよく、２つよりも多いか又は少ないクロスバー１８、２０が第１のバー１４及び第２のバー１６間に延びてもよい。いくつかの実施形態では、１つ又は複数のクロスバー１８、２０を第１のバー１４及び第２のバー１６に取り外し可能に取り付けることができ、他の実施形態では、全てのクロスバー１８、２０が第１のバー１４及び第２のバー１６と一体的であるか又はこれらに恒久的に取り付けられる。例えば、図２を参照すると、さらなる支持のために第３のクロスバー４６を水平バー１４、１６に取り外し可能に取り付けることができる。他の実施形態は、第２のクロスバー２０に隣接するクロスバー４６を含む。いずれの場合も、そのようなさらなるクロスバーを、第１のバー１４及び第２のバー１６の長さに沿った所望の場所に位置決めすることができる。
【００１５】
第１の支柱２２及び第２の支柱２４は、第１のバー１４及び第２のバー１６間の中間の場所から延びるものとして示されている。しかし、他の実施形態では、第１の支柱２２及び／又は第２の支柱２４は第１のバー１４及び第２のバー１６のいずれかにより近くてもよい。
【００１６】
引き続き図１及び図２の示される実施形態を参照すると、第１の前輪２８及び後輪３０が第１の水平バー１４に連結され、第２の前輪３２及び後輪３４が第２の水平バー１６に連結され、フレーム１２を表面上で支持すると共にフレーム１２を該表面を横切って移動させる。他の実施形態では、その代わりに第１の前輪２８及び第２の前輪３２のいずれか若しくは両方を第１のクロスバー１８に連結してもよく、又はその代わりに第１の後輪３０及び第２の後輪３４のいずれか若しくは両方を第２のクロスバー２０に連結してもよい。図示の車輪２８、３０、３２、３４はキャスター車輪であるが、その代わりに任意の他のタイプの車輪を前輪２８、３２及び／又は後輪３０、３４に使用してもよい。第１の前輪２８及び第２の前輪３２は各々、第１の後輪３０及び第２の後輪３４のそれぞれから第１の距離Ｄ１を置いて位置決めされる。
【００１７】
図１の示される実施形態のフレーム１２は、第１の前輪２８及び後輪３０と第２の前輪３２及び後輪３４との間の面積によって画定される第１のフレーム占有面積（footprint）を有し、第１の水平バー１４と第２の水平バー１６との間の面積を含む。
【００１８】
図１及び図２に示される清掃用カート１０は、操作者が把持可能なハンドル３５を含む。（図１及び図２に示されるような）いくつかの実施形態では、ハンドル３５は、フレーム１２に対して枢動可能である。例えば、ハンドル３５は、上方に枢動して、図１及び図２に示すような動作位置になることができる。同様に図１及び図２の示される実施形態を参照すると、ハンドル３５は第２の支柱２４に枢動可能に連結されている。他の実施形態では、ハンドル３５を第１の支柱２２に連結（例えば枢動可能に連結）するか、第１の支柱２２及び／若しくは第２の支柱２４によって支持される他の構造に連結するか、又はフレーム１２の他の支柱に連結してもよい。
【００１９】
清掃用カート１０は、第１の支柱２２及び第２の支柱２４間に延びると共にこれらを連結する１つ又は複数のバーを、第１の支柱２２及び第２の支柱２４の長さに沿った任意の場所（複数可）に有することができる。例えば、図１及び図２を参照すると、バー４０が、第１の支柱２２及び第２の支柱２４の上部に隣接した場所で支柱２２、２４間に延びてこれらを連結している。
【００２０】
清掃用カート１０は、任意の数の容器及び清掃具又は他の清掃用具を支持するように構成することができる。このために、清掃用カート１０は、第１の支柱２２及び／若しくは第２の支柱２４上で清掃用容器を支持する１つ又は複数のブラケット３６、３８、第１の支柱２２及び／若しくは第２の支柱２４上で容器又は袋を支持する１つ又は複数のフレーム４２、４４、並びに／或いは第１の支柱２２及び／若しくは第２の支柱２４上で清掃具及び他の清掃用具を支持する他のブラケットを有することができる。例えば、図１及び図２に示される清掃用カートは、共通の高さで第１の支柱２２及び第２の支柱２４にそれぞれ連結されている第１の引き出しランナー又はブラケット３６及び第２の引き出しランナー又はブラケット３８を有する。第１のブラケット３６及び第２のブラケット３８は、カート１０によって運ばれるべき１つ又は複数の容器、例えば引き出し、棚、袋、コンテナー等を摺動可能に受け入れて支持することができる。また、図１及び図２に示される清掃用カートは、バー４０に連結されている第１の容器フレーム４２及び第２の容器フレーム４４を有する。その代わりに、第１の容器フレーム４２及び／又は第２の容器フレーム４４を、第１の支柱２２及び／又は第２の支柱２４にそれぞれ直接連結してもよい。いずれの場合も、第１の容器フレーム４２及び第２の容器フレーム４４を、（容器フレーム４２、４４がバー４０に取り付けられる実施形態に関してはバー４０の垂直位置に少なくとも部分的に応じて）第１の支柱２２及び第２の支柱２４に沿った任意の所望の高さで支持することができ、図１及び図２の示される実施形態では第１の支柱２２及び第２の支柱２４の上部に示されている。第１のブラケット３６及び第２のブラケット３８並びに第１の容器フレーム４２及び第２の容器フレーム４４の配置は、図３〜図７を参照してより詳細に説明する。
【００２１】
図２は、第２の形態にあるフレーム１２を有する清掃用カート１０を示す。この形態では、第１のバー１４及び第２のバー１６が伸張してフレーム１２を拡張している（すなわちフレーム１２の長さが長くなっている）。図示の実施形態では、第１の水平バー１４及び第２の水平バー１６はそれぞれ、第１の部分（１４Ａ、１６Ａ）及び第２の部分（１４Ｂ、１６Ｂ）を含み、各バー１４、１６の第１の部分１４Ａ、１６Ａが第２の部分１４Ｂ、１６Ｂに摺動可能に受け入れられるようになっている。第１の前輪２８及び第２の前輪３２が第１の部分１４Ａ、１６Ａに接続されており、第１の後輪３０及び第２の後輪３４が第２の部分１４Ｂ、１６Ｂに接続されていることによって、第１の前輪２８及び第２の前輪３２が、第１の後輪３０及び第２の後輪３４から第２の距離Ｄ２を置いて位置決めされる。第２の距離Ｄ２は、図１に示される第１の距離Ｄ１よりも大きい。したがって、図２のフレーム１２の形態は、図１と関連して上述した第１のフレーム占有面積よりも大きい第２のフレーム占有面積を画定する。
【００２２】
第１のバー１４及び第２のバー１６が伸縮することができることによって、ユーザーは、フレーム１２のサイズを調整することが可能である。特に、カート１０の占有面積を、ユーザーのニーズを満たすように、例えば、より多いか又は少ない容器及び器具を支持するようにカート１０を適合し、より小さい面積に納まるようにカートを適合し、かつカート１０に、後輪３０、３４に対する前輪２８、３２の位置に基づいてより大きな安定性を与える（すなわち前輪２８、３２及び後輪３０、３４間の距離を増やす）ように調整することができる。他の実施形態では、この特徴は、ユーザーがカート１０の幅を調整することができるようにクロスバー１８、２０にも、又は代わりにクロスバー１８、２０に適用される。これに関して、カートの「前方」及び「後方」という用語は、通常使用時のカートの走行方向に対して考えることができ、いくつかの実施形態では、ハンドル３５の場所によって決まる（例えば図１及び図２の実施形態並びに他の実施形態では、ハンドル３５はカート１０の後方に位置する）ことに留意されたい。
【００２３】
上述のようにカート１０のフレーム１２が伸縮することができることは、入れ子式部材（図１及び図２の示される実施形態ではバー１４、１６）を使用することによってもたらすことができ、この場合、１つの部材が別の部材内に少なくとも部分的に受け入れられ、他方の部材に対して該部材内で様々な位置まで可動であり、第１の部材と第２の部材とを組み合わせた長さを変更する。例えば、両方のバー部分１４Ａ、１４Ｂ、１６Ａ、１６Ｂは、図１及び図２の示される実施形態に図示されるように断面が閉じた筒状形状を有してもよく、外側バー部分１４Ｂ、１６Ｂが中実のバー部分１４Ａ、１６Ａを受け入れる断面が閉じた筒状形状を有してもよく、外側バー部分１４Ｂ、１６Ｂが、任意の断面形状を有する内側バー部分１４Ａ、１６Ａを受け入れるＣ字、Ｖ字、Ｊ字、Ｉ字又はＵ字形の断面を有してもよい、といった具合である。
【００２４】
同じ長さ調整機能を果たす入れ子式特徴を有しない他の部材が可能であり、本発明の精神及び範囲内に入ることに留意されたい。図２１及び図２２は、ユーザーが伸ばすか又は縮める（lengthened and shortened）ように構成される梁（図１及び図２の示される実施形態の梁１４、１６に対する代替案である）を用いる代替的なフレーム構造の例を示す。図２１及び図２２の部材には、図１及び図２の実施形態の参照符号と対応する３００番台の参照符号が付されている。図２１及び図２２に示されかつ後述される特徴及び部材は、本願において説明及び／又は示される清掃用カートの実施形態のいずれにおいても用いることができる。
【００２５】
図２１及び図２２は、フレーム３１２のバー３１４、３１６が調整可能な長さを有する１つの清掃用カートフレームの形態を示す。図２１及び図２２に示される調整可能な梁の長さ構造を用いてフレーム３１２の幅を変更するためにバー３１４、３１６間に延びるクロスバー３１８、３２０を調整することもでき、又はこの調整可能な梁の長さ構造を代わりに用いてフレーム３１２の幅を変更するためにバー３１４、３１６間に延びるクロスバー３１８、３２０を調整することができる。
【００２６】
調整可能な長さのバー３１４、３１６が用いられるフレーム１２、３１２の実施形態では、（上述した）入れ子式バー部分の代替案として、互いに対して２つ以上の異なる部分で固定及び／又はクランプしてバー３１４、３１６の異なる長さを画定することができるバー部分３１４Ａ、３１４Ｂ及び３１６Ａ、３１６Ｂを含む。例えば、図２１を参照して、図示のフレーム３１２の各バー３１４、３１６は、互いに対して可動でありバー３１４、３１６の長さを拡張及び短縮する第１の部分３１４Ａ、３１６Ａ及び第２の部分３１４Ｂ、３１６Ｂを含む。図２１の示される実施形態では、第１のバー部分３１４Ａ、３１６Ａ及び第２のバー部分３１４Ｂ、３１６Ｂは、共に連結されて互いに沿って摺動し、バー３１４、３１６（したがってフレーム３１２）の長さを変える。各バー３１４、３１６のバー部分３１４Ａ、３１４Ｂ、３１６Ａ、３１６Ｂの少なくとも１つの長さに沿う２つ以上の場所において、１つ又は複数の締結具３１３を、バー部分３１４Ａ、３１４Ｂ及び３１６Ａ、３１６Ｂにある対応する孔に通して、各バー３１４、３１６のバー部分３１４Ａ、３１４Ｂ及び３１６Ａ、３１６Ｂを互いに対して定位置に固定することができる。締結具３１３は、図２１に示されるように１つ又は複数のクロスバー３１８、３２０に通してもよく、又は各バー３１４、３１６のバー部分３１４Ａ、３１４Ｂ及び３１６Ａ、３１６Ｂの位置合わせされた孔に通してもよい。他の実施形態では、１つ又は複数のクランプ（図示せず）を使用して、第２のバー部分３１４Ｂ、３１６Ｂに対する第１のバー部分３１４Ａ、３１６Ａの２つ以上の位置においてバー部分３１４Ａ、３１４Ｂを互いに対して定位置に固定する。１つの細長い部材を隣接する細長い部材に対して固定するさらに他の締結具及び締結方法が可能であり、本発明の精神及び範囲内に入る。
【００２７】
いくつかの実施形態では、各バー３１４、３１６のバー部分３１４Ａ、３１４Ｂ及び３１６Ａ、３１６Ｂは、バー３１４、３１６の長さに沿った２つ以上の別個の場所のみにおいて互いに対して定位置に固定することができる。しかし、他の実施形態では、各バーのバー部分３１４Ａ、３１４Ｂ及び３１６Ａ、３１６Ｂは、（使用される締結具及び締結方法のタイプに少なくとも部分的に応じて）バー３１４、３１６の長さに沿った無限数の場所において互いに対して定位置に固定してもよい。
【００２８】
フレーム３１２は上述したように任意の数のクロスバーを有することができるが、図２１に示されるフレーム３１２は２つのクロスバー３１８、３２０を有し、これらは共に第１のバー部分３１４Ａ、３１６Ａ及び第２のバー部分３１４Ｂ、３１６Ｂを並んだ関係で支持及び保持する。
【００２９】
上述のように、フレーム１２、３１２のバー１４、１６、３１４、３１６は、フレーム１２、３１２の長さ及び占有面積を変更するように調整することができる。このようにできることによって、ユーザーは、同じカート１０、３１０を異なる保管ニーズ及び異なる作業環境に適合させることができる。同様の多用途性が、調整可能な高さを有する本発明によるカートによって提供される。そのようなカートの一例を図２２に示す。
【００３０】
図２２に示されるカート３１０’は、図２１の実施形態に関して上記で説明及び示したものと同じ特徴及び部材の多くを有する。したがって、ここでは、図２２の実施形態（及びそれに対する代替形態）のさらなる説明については、図２１に関して上述した実施形態を参照する。図２１の実施形態の特徴及び部材と対応する図２２の実施形態の特徴及び部材は、３００’番台の対応する参照符号を有する。
【００３１】
図２２に示されるカート３１０’は、調整可能な長さ及び高さを有するフレーム３１２’を有する。図示のフレーム３１２’は、図１及び図２と関連して上述したものと同じ入れ子式バー３１４’、３１６’を使用することができるか、又はその代わりに、本明細書において説明される他の調整可能な長さのバーのいずれかを使用してもよい。クロスバー３１８’及び３２０’がバー３１４Ｂ’及び３１６Ｂ’間に延びてこれらを連結し、フレーム３１２’を支持する。いくつかの図示されていない実施形態では、クロスバー３１８’及び３２０’を、本明細書において開示されるいずれかの方法で伸ばすか又は縮め、フレーム３１２’の幅を変えることができる。
【００３２】
引き続き図２２の示される実施形態を参照すると、フレームの高さは、２つ以上の部分３２２Ａ’、３２２Ｂ’及び３２４Ａ’、３２４Ｂ’をそれぞれ有する支柱３２２’、３２４’を使用することによって調整することができる。各支柱３２２’、３２４’のこれらの部分３２２Ａ’、３２２Ｂ’及び３２４Ａ’、３２４Ｂ’は、互いに対して様々な長さまでそれぞれ調整し、本明細書において記載及び／又は示されるいずれかの方法でバー１４、１６、３１４、３１６に対する支柱３２２’、３２４’の長さを変更することができる。例えば、図２２に示される支柱３２２’、３２４’の第１の支柱部分３２２Ａ’、３２４Ａ’は、第２の支柱部分３２４Ａ’、３２４Ａ’を入れ子式に摺動可能に受け入れる（しかし他の実施形態では、第２の支柱部分３２２Ｂ’、３２４Ｂ’がその代わりに第１の支柱部分３２２Ａ’、３２４Ｂ’を入れ子式に摺動可能に受け入れてもよい）。第１の支柱部分３２２Ａ’、３２４Ａ’及び第２の支柱部分３２２Ｂ’、３２４Ｂ’は、複数の異なる方法で互いに対して所望の位置に保持することができ、複数の異なる方法としては、限定されないが、各支柱３２２’、３２４’の第１の支柱部分３２２Ａ’、３２４Ａ’及び第２の支柱部分３２２Ｂ’、３２４Ｂ’にある位置合わせされた孔に通されるピン、柱、ねじ又は他の解放可能な締結具、第１の支柱部分３２２Ａ’、３２４Ａ’及び第２の支柱部分３２２Ｂ’、３２４Ｂ’の他方それぞれにある孔内に解放可能に係合可能である第１の支柱部分３２２Ａ’、３２４Ａ’及び第２の支柱部分３２２Ｂ’、３２４Ｂ’のうちの１つにある突起、第１の支柱部分３２２Ａ’、３２４Ａ’及び／又は第２の支柱部分３２２Ｂ’、３２４Ｂ’にある１つ又は複数の解放可能なクランプ、第１の支柱部分３２２Ａ’、３２４Ａ’及び第２の支柱部分３２２Ｂ’、３２４Ｂ’の他方それぞれにあるデテント、穴、溝、リセス又は他の孔と解放可能に嵌合する、第１の支柱部分３２２Ａ’、３２４Ａ’又は第２の支柱部分３２２Ｂ’、３２４Ｂ’のうちの１つにあるばね荷重ボール、レバー又はピン等が挙げられる。１つの支柱部分３２２Ａ’、３２２Ｂ’を別の支柱部分３２４Ａ’、３２４Ｂ’に対して定位置に保持するこれらの方法のいずれかを用いて、本明細書において記載される種々のカートの実施形態のバー又は調整可能なフレーム部材のいずれも、任意の数の所望の位置（及び対応する長さ）に保持することができる。
【００３３】
引き続き図２２のカートの実施形態を参照すると、フレームクロス部材３４０’が、一定の長さを有するものとして示されているが、他の実施形態では、本明細書において記載及び／又は示される可変長構造のいずれかを用いて可変長を有することができる。これに関して、本明細書において開示される実施形態のいずれかに従って支柱間に延びる任意のクロス部材は、所望の一定長又は可変長を有することができる。
【００３４】
調整可能な長さの支柱３２２’、３２４’を本明細書において記載されるように使用することができるが、他の実施形態では、支柱３２２’、３２４’は、（例えば複数の部分の端部同士を嵌合することによって）端部同士が接続される複数の部分を有することができ、ユーザーが、カート構成に使用する支柱部分の数を選択することによって所望の支柱の長さを選択することを可能にする。
【００３５】
再び図１及び図２に示されるカートの実施形態を参照して、図３は、フレーム１２が後退位置にあり、ハンドル３５が収納位置まで下方へ枢動している状態のカート１０を示す。ハンドル３５は、図示のカムレバー４８等のロック機構によって展開位置にロックすることができる。ハンドル３５は、重力のみによって下方の収納位置に保持してもよく、又は図示のカムレバー４８等のロック機構によってそのような位置に保持してもよい。
【００３６】
図１及び図２の示される実施形態では、複数の部材を第１の支柱２２及び／又は第２の支柱２４に取り付けることができる。このために、第１の支柱２２及び第２の支柱２４は、これらの部材の突起を受け入れて保持することができる孔２１を有する。任意の数の孔２１を第１の支柱２２及び／又は第２の支柱２４の長さに沿って設けて、任意の数の部材を第１の支柱２２及び／又は第２の支柱２４に沿った様々な高さに取り付けることができる。孔２１は、支柱２２、２４に沿う円形、長円形、三角形、矩形、又は不規則形状を有する穴を含むがこれらに限定されない、複数の異なる形状を有することができる。他の実施形態では、孔２１は、第１の支柱２２及び／又は第２の支柱２４の長さの少なくとも一部に沿って延びる溝によって少なくとも部分的に画定される。溝の形態の孔２１の使用によって、ユーザーが、部材を溝に沿った任意の場所（例えば溝の両端間の複数の位置の範囲）に取り付けることが可能となる。支柱２２、２４の孔２１は、支柱２２、２４に沿う、部材の取り付けが望まれるいずれの場所にも位置することができる。いくつかの実施形態では、２つ以上の孔を支柱２２、２４に沿う所与の場所に用いることができる。例えば、図１〜図３に示される支柱２２、２４のそれぞれには溝の形態の１つの孔２１が位置するが、図８の示される実施形態では、支柱２２、２４の内側に、（支柱２２、２４に取り付けられるべき部材からの一対の突起を受け入れる）平行な溝の形態の２つの孔２１が位置する。
【００３７】
孔２１は、支柱２２、２４の、部材が支柱２２、２４に取り付けられるべき任意の面に位置することができる。例えば、部材は、図１〜図３の実施形態では、両方の支柱２２、２４の前面及び後面に取り付けることができる。他の実施形態では、孔は、部材を支柱２２、２４のいずれかの面又は両面に取り付けるために、支柱２２、２４のいずれかの側面若しくは両側面にも画定することができるか、又は代わりに支柱２２、２４のいずれかの側面若しくは両側面に画定することができる。
【００３８】
上述したように、支柱２２、２４にある孔を用いて部材を支柱２２、２４に固定することができるが、他の実施形態では、部材の突起及び支柱２２、２４の孔の場所を逆にしてもよいことに留意されたい。例えば、支柱２２、２４に沿う１つ又は複数の場所にあるピン、柱、フック又は他の突起を、支柱２２、２４に取り付けられるべき部材の孔と解放可能に嵌合させることができる。別の例として、第１の支柱２２及び／又は第２の支柱２４の一部又は全てに沿って延在するリブ又は他の細長い突起が、蟻継ぎ手構成又はほぞ及びほぞ穴構成におけるように、支柱に取り付けられるべき部材の孔と摺動可能に嵌合することができる。さらに他のタイプの孔及び突起の嵌合構成が可能であり、本発明の精神及び範囲内に入る。
【００３９】
部材を第１の支柱及び／又は第２の支柱に取り付けるための嵌合する孔及び突起の使用を、本明細書において説明及び／又は示されるカートの実施形態のいずれにも適用することができる。そのような取り付け構成の多くは、ユーザーが、容器フレーム、袋フレーム、ハンドルブラケット及び他の固定具を支柱２２、２４に沿う所望の高さで支持することを可能にする。特に、複数の取り付け場所が利用可能である実施形態（例えば特に上述した溝及び突起の取り付け構成を有し、この場合、連続的な範囲の取り付け場所が支柱２２、２４に沿って存在する）では、そのような多用途性によって、ユーザーが、清掃用カート１０を広範な用途及び作業環境に適合させることが可能となる。
【００４０】
図３及び図４は、図１及び図２に示されるカート１０に連結することができる構成要素を示す。１つのそのような構成要素が、第１の支柱２２に連結される前方袋フレーム５０である。図示の前方袋フレーム５０は、第１の支柱２２に固定して連結されている。いくつかの実施形態では、前方袋フレーム５０は、第１の支柱２２の前方に面する表面に沿って延びる溝２１に摺動可能に受け入れられるブラケット（図３及び図４では見えない）によって第１の支柱２２に連結されている。前方袋フレーム５０を取り付けるのに使用されるブラケットは、図８〜図１３に示されるブラケットと同じものとすることができ、この場合、ブラケットのＴ字形部分が溝２１内に延びて、支柱２２に沿う様々な所望の位置まで溝２１に沿って摺動可能である。本明細書において記載及び／又は示される実施形態のいずれにおいても、そのようなブラケットを使用して、任意の部材を支柱に固定することができる。いくつかの実施形態では、前方袋フレーム５０は、上方に枢動して、洗濯物袋又はくず入れ袋等のような袋を保持する展開位置になることができる。
【００４１】
別の構成要素は、図３及び図４に示されるような第２の支柱２４に連結されている後方袋フレーム５２である。この後方袋フレーム５２は、洗濯物袋又はくず入れ袋等のような袋を保持することができる。後方袋フレーム５２は、図３では下降した収納位置で示されており、図４では上昇した展開位置で示されており、いくつかの実施形態では、前方袋フレーム５０と関連して上述したカムレバーによって適所に固定することができる。前方支持トレイ５４を、ブラケット（例えば前方袋フレーム５０を取り付けるための上述したブラケットと同じか又は同様である）によって第１の支柱２２又は第２の支柱２４に連結して、上昇した収納位置及び下降した展開位置間で枢動させることができる。前方支持トレイ５４は、図３では上昇した収納位置で示されており、図４では下降した展開位置で示されている。
【００４２】
引き続き図３及び図４を参照すると、清掃用カート１０は、複数の容器を載せて支持した状態で示されている。第１の対及び第２の対の上部容器５６が第１の上部容器フレーム４２及び第２の上部容器フレーム４４で支持されている。上部容器５６はそれぞれ、各上部容器５６の上部を選択的に覆うカバー５８を有することができる。いくつかの実施形態では、上部容器５６は、上部容器フレーム４２、４４と同じ幅であるため、第１及び第２の上部容器５６のみが各フレーム４２、４４に含まれる。他の実施形態では、任意の他の数の上部容器フレーム４２、４４をそれぞれ、１つ、２つ又はそれ以上の上部容器５６を保持するような形状及びサイズにすることができる。図３〜図６に示されるように、中間容器６０が（上述した）ブラケット３６、３８によって支持される。中間容器６０は、図３〜図６に示すようなカバー６２も含むことができる。ブラケット３６、３８は、中間容器６０の隣接する縁を摺動可能に受け入れることができるため、中間容器６０は、カート１０の他の容器又は部分を妨げることなく摺動してカート１０の所定位置に出入りすることができる。図示の中間容器６０は上部容器５６よりも深く、第１及び第２の対の上部容器５６の両方がカバーする占有面積と同じか又は同様の占有面積を実質的に占める。他の実施形態では、異なるサイズを有する他の中間容器、例えば図示の中間容器６０と同じか、これよりも小さいか又は大きい深さの２つの中間容器を、ブラケット３６、３８（又は図示のブラケット３６、３８の上方又は下方に位置するさらなるブラケット３６、３８）によって支持することができ、これらの中間容器はそれぞれ、各ブラケット３６、３８の異なる対の端で支持される。
【００４３】
図３〜図６の示される実施形態は、左右にある下側容器６４をさらに含む。この左右にある下側容器６４は、それぞれの左側カバー６６及び右側カバー６６を含むことができる。図示の下側容器６４は、細長い形状を有し、フレーム１２の長さに沿って延びる。下側容器６４は、水平バー１４、１６及び／若しくはクロスバー１８、２０によって支持することができるか、又は以下でより詳細に説明するいずれかの方法で支持することができる。いくつかの実施形態では、プレートが、水平バー１４、１６及び／又はクロスバー１８、２０上に位置決めされ、下側容器６４を支持する。他の実施形態では、異なるサイズを有する任意の他の数の下側容器をカート１０上で支持することができる。
【００４４】
いくつかの実施形態では、カート１０によって支持される下側容器６４は、カート１０に対して移動して、下側容器６４の内部領域へのユーザーのアクセス性を高めることができ、また使用しないときに、ユーザーが下側容器６４（及びその中の内容物）を収納することを可能にする。図３〜図６に示される下側容器６４は、カート１０上のそれらの位置から簡単に移動させて取り出すことができる。下側容器を移動させる（また場合によっては取り出す）他のカートの実施形態が図２３〜図３５に示される。図２３〜図３５に示されかつ後述される下側容器支持構造（及びそれらに対する任意の代替形態）は、本明細書において開示される実施形態のいずれとも併用することができる。本明細書において説明及び／又は示される他の実施形態の部材及び特徴に対応する図２３〜図３５の部材及び特徴は、４００番台の参照符号で表記されている。
【００４５】
いくつかの実施形態では、容器４６４を、それらのそれぞれのカバー４６６に対して、該カバー４６６を移動させることなく横方向に移動及び／又は下降させることが望ましい場合がある。これができることによって、種々の容器をカート４１０により密接させてより効果的に装填することが可能となる。
【００４６】
下側容器４６４がそれぞれのカバー４６６に対して移動することを可能にする２つのカートの実施形態が図２３及び図２４に示されている。しかし、これらの実施形態を用いて下側容器４６４をそれらのそれぞれのカバーに対して移動させてもよいことに留意されたい。図２３及び図２４に示される実施形態は、下側容器４６４、４６４’が、カート４１０、４１０’に対して実質的に直線状の経路に沿って水平方向内方及び外方に摺動することを可能にする。プレート、棚、フレーム又は他の支持部材等の下側容器支持体４６７、４６７’を設けることができる。いくつかの実施形態では、下側容器支持体４６７、４６７’は、下側容器（複数可）と一体であるか又は下側容器の一部によって画定することができる。下側容器支持体４６７、４６７’は、摺動アセンブリ（図２３の参照符号４６９図２４の参照符号４６９’によって示される）によってカート４１０、４１０’に連結することができる。例示にすぎないが、摺動アセンブリ４６９、４６９’は、下側容器支持体４６７、４６７’の下又は横に取り付けられている任意のタイプの軸受付き又は軸受なし引き出し式グライド（bearing or bearingless drawer glide）とすることができる。下側容器４６４又は下側容器支持体４６７は、図２３に示される足用リセス（foot recess）４７３のような１つ又は複数のユーザー操作可能な制御部又は特徴部を含むことができ、ユーザーが、下側容器４６４をユーザーの足で引き出すことを可能にする。本明細書において説明及び／又は示される種々のカートの実施形態では、ユーザーは、下側容器４６４又は下側容器支持体４６７を引き出すか又は押し戻すことによって下側容器４６４及び下側容器支持体４６７をカート４１０に対して移動させることができる。
【００４７】
図２４に示されるようないくつかの実施形態では、下側容器４６４’のカバー４６６’は、第１のブラケット４３６’及び第２のブラケット４３８’によって第１の支柱４２２及び第２の支柱４２４に連結されており、下側容器４６４’を外方位置へ移動させると下側容器４６４’の中にアクセスすることを可能にする。他の図示されていない実施形態では、カバー４６６’は、下側容器４６４’に連結されたままである。そのような実施形態では、下側容器４６４’がカート４１０’に対して外方へ移動すると、カバー４６６’を取り外すことが可能になる垂直空間がもたらされ得る。図２４に示されるような取っ手４７３’等のユーザー操作可能な制御部又は特徴部を用いて、ユーザーが下側容器４６４’及び下側容器支持体４６７’をカート４１０’に対して移動させることを容易にすることができる。
【００４８】
いくつかの実施形態では、１つ又は複数の下側容器４６４’’は、下側容器４６４’’の内容物へのアクセス性を高めると共に下側容器４６４’’を収納するようにカート４１０’’に対して枢動するように可動である。例えば、いくつかの実施形態では、下側容器支持体４６７’’は、１つ又は複数の垂直軸を中心に回転し、下側容器４６４’’を（例えば円形経路に沿って）水平方向外方へ動かす。１つのそのような容器支持体が図２５及び図２６に示されており、この場合、下側容器支持体４６７’’は、カート４１０’’に対して垂直軸を中心に回転するように連結されている２つの支持バー４７１Ａ’’、４７１Ｂ’’を含む。支持バー４７１Ａ’’、４７１Ｂ’’は、その上の下側容器４６４’’をカート４１０に対して離接するように移動させる四節リンク機構の一部であり得る。図２５は内方位置にある下側容器４６４’’を示し、図２６は、外方位置まで時計回りに回転した下側容器４６４’’を示す（そのため、２つの支持バー４７１Ａ’’、４７１Ｂ’’が第１のバー４１４に当接している）。この実施形態の２つの垂直軸Ａ、Ｂは、２つの支持バー４７１Ａ’’、４７１Ｂ’’によって画定することができる。他の実施形態では、１つのみの支持バー４７１Ａ’’、４７１Ｂ’’を使用して下側容器４６４’’を収納位置に対して回転させる。これに関して、本明細書において記載される種々の実施形態の枢動支持バー４７１Ａ’’、４７１Ｂ’’は、上述のように収納位置に対して下側容器４６４’’を枢動させることができる任意の形状及び形態をとることができ、図２５及び図２６に示されるような細長い形状を必ずしも有しなくてもよいことに留意されたい。
【００４９】
下側容器支持体４６７’’’が１つ又は複数の垂直軸を中心に回転して下側容器４６４’’’を水平方向外方へ移動させる別の実施形態が図２７及び図２８に示されている。図２７は、第１の内方位置にある下側容器支持体４６７’’’を示す。図示の下側容器支持体４６７’’は、２つの垂直軸Ｃ、Ｄを中心にカート４１０’’’に回転可能に連結されている２つの支持バー４７１Ａ’’’、４７１Ｂ’’’を含む。図２８は、軸Ｃ、Ｄを中心に回転して外方位置にある下側容器支持体４６７’’’を示す。図２５及び図２６の実施形態とは対照的に、２つの支持バー４７１Ａ’’’、４７１Ｂ’’’は、第１の水平バー４１４’’’と干渉することなくそれぞれの軸Ｃ、Ｄを中心に自由に回転することができる。
【００５０】
他の実施形態では、清掃用カート４１０’’’’の１つ又は複数の下側容器４６４’’’’は、下側容器（複数可）４６４’’’’がカート４１０’’’’の収納位置に対して移動すると下側容器（複数可）４６４’’’’が傾くか及び／又は高さを変えることができるように、１つ又は複数の非垂直軸を中心に回転可能である。そのような一実施形態の一例が図２９に示されており、この場合、下側容器支持体４６７’’’’は水平軸Ｅを中心に回転可能である。下側容器支持体４６７’’’’が（図２９の点Ｅによって示す）水平軸Ｅを中心に回転すると、下側容器４６４’’’’が支柱４２２’’’’、４２４’’’’に対して離接するように移動する。下側容器支持体４６７’’’’は、いくつかの実施形態では、脚で作動して下側容器４６４’’’’を支柱４２２’’’’、４２４’’’’に離接するように摺動させることができる、フットペダル４７３’’’’等のユーザー操作可能な制御部又は特徴部を含むことができる。
【００５１】
上記カートの実施形態はいずれも、下側容器４６４がカート４１０から離れるように移動すると下側容器を下降させることができる。また、いくつかの実施形態では、下側容器４６４は、下方に枢動するか又は下方に移動して、下側容器４６４の内部へのより良いアクセスを可能にすることができる。これらの場合はいずれも、下側容器４６４がそのように移動することによって、下側容器が、カート４１０が担持している静止下側容器カバーから離接するように移動することを可能にし、これはいくつかの場合、そのようなカバーと下側容器との間に改善したシールをもたらすことができる。
【００５２】
本発明による清掃用カート６１０の別の実施形態は、図３０に示されるように、それぞれの容器支持体６６７上で支持される２つの下側容器６６４を含む。下側容器６６４及び容器支持体６６７は両方とも、清掃用カート６１０に対して並進移動すると共に枢動する。図３０を参照すると、例えば、下側容器６４４はそれぞれ、清掃用カート６１０の中心から並進移動して離れながらも、実質的に直立した位置（図３０の左の下側容器６４４を参照のこと）から、傾いた位置（図３０の右の下側容器６４４を参照のこと）へ枢動する。これは、清掃用カート６１０に対して固定されている軸を中心に簡単に定位置に回転する下側容器とは対照をなす。
【００５３】
引き続き図３０を参照すると、図示の清掃用カート６１０は、容器支持体６６７のそれぞれとカート６１０との間に位置決めされる２つの支持バー６７１Ａ、６７１Ｂを含むリンク機構を含む。いくつかの実施形態では、２つの支持バー６７１Ａ、６７１Ｂを有する単一のリンク機構が容器支持体６６７のそれぞれとカート６１０との間に位置決めされ、一方で他の実施形態では、２つ以上のそのようなリンク機構が容器支持体６６７のそれぞれとカート６１０との間に位置決めされる（例えば各下側容器６６４の各端にある１つのそのようなリンク機構）。支持バー６７１Ａ及び６７１Ｂは、カートフレーム６１２及びそれぞれの容器支持体６６７と共に、四節リンク機構として働くことができ、下側容器６６４及びそれぞれの容器支持体６６７が概ね水平な平面に沿って並進移動すると共に実質的に水平な軸を中心に回転することを可能にする。図３０に示される支持バー６７１Ａ、６７１Ｂは異なる長さを有することによって下側容器６６４を枢動運動させる。支持バー６７１Ａ、６７１Ｂのそれぞれの長さは、下側容器６６４の同じ並進移動に基づく下側容器の枢動する量をより多くするか又は少なくするように異なっていてもよい。
【００５４】
（図３０の示される実施形態におけるような）いくつかの実施形態では、容器支持体６６７は、下側容器６６４よりもわずかに大きく、モップ又は容器カバー６６６を下側容器６６４に隣接して位置決めすると共に容器支持体６６７上で支持することを可能にする。
【００５５】
１つ又は複数のユーザー操作可能な制御部又は特徴部を含めることによって、ユーザーが下側容器６６４及び支持体６６７をカート６１０に対して移動させることを可能にすることができる。図３０の示される実施形態では、２つのフットペダル６７３が容器支持体６６７に連結されており、容器支持体６６７及び下側容器６６４をカート６１０に対して移動させる。図示のフットペダル６７３は、下側容器６６４の一方の側に位置決めされているが、他の実施形態では、他の場所に位置決めされていてもよい。図３０に示される各フットペダル６７３は、それぞれの支持バー６７１Ｂの内側端に固定されているシャフト（図３０では見えない）を中心に枢動可能であるため、ユーザーの足によってフットペダル６７３が回転することによりシャフトがその軸を中心に回転し、それによって、支持バー６７１Ｂがシャフトと共に回転する。この運動によって、容器支持体６６７及び他方の支持バー６７１Ａ（この一端がカートフレーム６１２に枢動可能に固定されている）が上述のように動く。下側容器６６４及びそれぞれの支持体６６７をカートフレーム６１２を中心に並進移動及び回転させるように作動可能な他のユーザー操作可能な制御部又は特徴部が図３１〜図３４に示されている。
【００５６】
図３１に示されている清掃用カートの実施形態は、図３０の実施形態と同様であるが、その代わりに、ユーザー操作可能な制御部としてハンドル７７３を含むため、ユーザーは、手で下側容器７６４及びそれぞれの容器支持体７６７をカート７１０に対して動かすことができる。図３１に示される実施形態はまた、各下側容器７６４用の少なくとも１つのリンク機構を含む。各リンク機構は、容器７６４がカート７１０を中心に回転及び並進移動することを可能にする四節リンク機構を画定するようにフレーム７１２及び容器支持体７６７と協働する２つの支持バー７７１Ａ、７７１Ｂを有する。
【００５７】
図３２に示される清掃用カートの実施形態は、ユーザー操作可能な制御部としての足作動式ペダル８７３をカート８１０に含む。足作動式ペダル８７３は、下側容器８６４及び容器支持体８６７に対して中心に位置して示されているが、その代わりに、カート８１０の長さに沿ったいずれの場所に位置してもよい。図３２に示される実施形態はまた、図３０及び図３１に示されるカートの実施形態と同様に一緒に働く２つの支持バー８７１Ａ、８７１Ｂを有するリンク機構を含む。しかし、足作動式ペダル８７３は、上述のようにそれぞれのシャフトによって支持バー８７１Ａ、８７１Ｂに連結されるのではなく、支持バー８７１Ｂに直接接続されている。
【００５８】
図３３に示される清掃用カートの実施形態は、ユーザー操作可能な下側容器制御部としての２つのフットペダル９７３を清掃用カート９１０に含む。フットペダル９７３は、下側容器９６４及び容器支持体９６７の一方の側に位置するが、フットペダル９７３のいずれか若しくは両方が下側容器９６４及び容器支持体９６７の反対の側に位置していてもよく、又はフットペダル９７３は、下側容器９６４及び容器支持体９６７の両方の側に位置していてもよい。図示のフットペダル９７３は、カート９１０から概ね離れる方向に回転するように位置決めされている。しかし、他の実施形態では、フットペダル９７３の位置及び回転方向は、同じ結果を達成するように異なっていてもよい。
【００５９】
引き続き図３３に示される実施形態を参照すると、２つのギアボックス９７５が各それぞれのフットペダル９７３に連結されており、カート９１０に対する下側容器９６４及び容器支持体９６７の位置を制御するように動作可能である。シャフト９７７がギアボックス９７５間に延びるため、下側容器９６４は、下側容器９６４又は支持体９６７が捩れるか又は旋回するトルクの可能性を防止又は阻止するように両端が支持されている。他の実施形態では、１つのみのギアボックス９７５が各フットペダル９７３と関連し、この場合、シャフト９７７は、いずれかの端若しくは両端若しくは任意の中間の場所が軸受によって回転可能に支持されるか、又は任意の他の好適な方法で回転可能に支持されることができる。
【００６０】
図３３に示される実施形態は、下側容器９６４及び容器支持体９６７を支持してカート９１０を中心に回転及び並進移動させる２つの支持バー９７１Ａ、９７１Ｂを各々有するリンク機構を含む。支持バー９７１Ａ、９７１Ｂは各々、関連するギアボックス９７５内に位置するピボット（図示せず）を中心に枢動することができ、ギアボックス９７５は、各々のそのようなピボットにある別のギアと噛み合って回転力をシャフト９７７から支持バー９７１Ａ、９７１Ｂへ伝達する、シャフト９７７上のギア（図示せず）を含む。
【００６１】
いくつかの実施形態では、ギアボックス９７５及びシャフト９７７は、ユーザーが下側容器９６４及びそれぞれの支持体９６７を走行経路に沿った任意の位置でロック又は保持することを可能にし得る。図３３に示されると共に本明細書において説明される任意の数のギアボックス９７５を、図３０〜図３２と関連して上述した実施形態のいずれとも併用することができることにも留意されたい。
【００６２】
可動式清掃用カートにおいて下側容器を移動させるユーザー操作可能な制御部の別の構成が図３４に示されており、本明細書において説明及び／又は示される様々なリンク機構のいずれかを任意の組み合わせで使用して同じカートにある異なる下側容器１０６４を動かすことができる方法の例を提供する。図３４において示される清掃用カートは、容器支持体１０６７によって支持される下側容器１０６４のうちの一方の移動を制御するフットペダル１０７３を含み、他方の下側容器１０６４及びそれぞれの支持体１０６７をフレーム１０１２に対して並進移動及び枢動させる２つの支持バー１０７１Ａ、１０７１Ｂ（上述した支持バーと同様である）を有するリンク機構も含む。
【００６３】
図３０〜図３４は、下側容器（及びそれらのそれぞれの支持体）の清掃用カートに対する「中心を越えた（over-center）」回転を可能にする種々の構成を示す。より詳細には、これらの実施形態の各々では、少なくとも１つの容器が収納位置と展開位置との間で移動することができ、この場合、収納位置及び展開位置は、少なくとも１つの「中心を越えた位置」によって分けられる。容器は、中心を越えた位置の展開側又は収納側のいずれかになると、重力、及び／又は容器を移動させるのに使用されるリンク機構によって展開位置又は収納位置に向かって付勢されるか、かつ／又は展開位置又は収納位置に保持される。
【００６４】
図３５は、下側容器１１６４が中心を越えた位置を通って移動可能である別の可動式清掃用カートの実施形態を示す。しかし、図３５に示される下側容器１１６４は並進移動はせず、その代わりに、清掃用カートフレーム１１１２に対して固定されている軸Ｆを中心に枢動のみ行うことに留意されたい。下側容器１１６４及び容器支持体１１６７はフレーム１１１２上で支持されるものとして示されている。下側容器１１６４及び支持体１１６７は（軸Ｆの）点を中心に回転し、収納位置と展開位置との間で移動する。並進移動を含まない実施形態では、下側容器１１６４と隣接する容器１１６０との間に距離Ｄ１が確立され、下側容器１１６４の回転を可能にすることができる。また、下側容器１１６４が展開位置を越えて回転しないように停止させることによって下側容器１１６４からいかなる内容物もこぼれないように阻止又は防止するために、ストッパ（stop）１１７９を含めることができる。空間がより限られている実施形態では、上述のように並進移動及び回転の両方を含む移動を用いることができる。
【００６５】
図２３〜図３５に示される実施形態は、カートの下側容器をカートの収納位置に対して移動させることができる多くの可能な配置及び構成のうちのいくつかを示すために含まれている。当業者にはよく理解されるように、これらの実施形態は、例示として示されているにすぎず、本発明の範囲を本明細書に示されると共に記載される構造に限定することは意図しない。
【００６６】
図１及び図２の示される実施形態を再び参照して、図示のカート１０のさらなる形態が図５〜図７に示されている。そのような形態では、図３及び図４の前方支持トレイ５４が取り外されており、前方支持プレート６８が据え付けられている。前方支持プレート６８は、第１の水平バー１４及び／若しくは第２の水平バー１６並びに／又は第２のクロスバー２０及び第３のクロスバー４６の１つ又は複数に連結することができる。いくつかの実施形態では、前方支持プレート６８は、第１の水平バー１４及び第２の水平バー１６並びに第２のクロスバー２０及び第３のクロスバー４６の１つ又は複数に係止するフランジを含む。また、いくつかの実施形態では、前方支持プレート６８がフレーム１２上でよりよく保持されるように、前方支持プレート６８の中心位置がバー１４、１６及びクロスバー２０、４６間の下方に延びることができる。他の実施形態では、前方支持プレートは、１つ又は複数の締結具等の任意の他の好適な方法でフレーム１２に連結することができる。
【００６７】
図６は、図５に示されるように構成されるカート１０を示すが、２つの後方容器７０も後方フレーム５２で支持されている。本明細書において説明及び／又は示される他の袋フレーム及び容器フレームと同様に、この袋フレーム及び容器フレームは、任意の数及びサイズの容器又は袋を保持するような形状及びサイズとすることができる。図６に示される後方容器７０は、後方容器７０に回転可能又は取り外し可能に連結されるカバー７２を含む。
【００６８】
図７は、代替的な構成の容器を有する図１及び図２のカート１０を示す。図３〜図６に示される構成と同様に、上部容器５６が、第１の上部容器フレーム４２及び第２の上部容器フレーム４４において支持されており、それぞれにカバー５８が設けられている。より深い下側容器６０が第１の水平バー１４及び第２の水平バー１６に隣接して位置決めされており、上述のブラケット３６、３８と同じ形状を有すると共に同じ機能を果たすブラケット３６Ｃ及び３８Ｃによって支持されている。図７の示される実施形態は、それぞれのカバー７６、８０を各々有し、第１の支柱２２及び第２の支柱２４上でブラケット３６Ａ、３８Ａ及び３６Ｂ、３８Ｂによって各々支持され、かつ上部容器５６の下に位置する第１の中間容器７４及び第２の中間容器７８も含む。
【００６９】
図１〜図７に示される容器、ブラケット及び他の固定具の特定の構成は、ユーザーのニーズ及び所望の用途に合わせてカート１０を容易に構成することができる方法を示すために提供されているにすぎない。例えば、容器の他の数量、サイズ及び配置が可能であり、本発明の精神及び範囲内にあることが理解されるであろう。本発明のいくつかの実施形態によると、容器及び他の付属品を、支柱の高さ、水平バーの長さ及びクロスバーの幅に沿った多くの異なる位置においてカートに連結し、多数の異なるカートの構成を提供することができる。
【００７０】
図８〜図１３は、本発明によるカート１１０の別の実施形態を示す。図８〜図１３に示されるカート１１０の実施形態は、図１〜図７及び図２１〜図３５と関連して上述したカートの実施形態と同じ構造の多くを採用し、同じ特性の多くを有する。したがって、以下の説明は、図１〜図７及び図２１〜図３５と関連して上述した実施形態とは異なる構造及び特徴に主に焦点を当てる。その構造及び特徴、並びに図８〜図１３に示されると共に後述されるカート１１０の構造及び特徴に対する可能な代替形態に関するさらなる情報については、図１〜図７及び図２１〜図３５と関連する上記の説明を参照されたい。図１〜図７と関連して上述した実施形態における特徴及び部材に対応する図８〜図１３の実施形態における特徴及び部材は、１００番台の参照符号で番号付けされている。
【００７１】
図８は、車輪１２８、１３０、１３２、１３４上で支持されている第１の水平バー１１４及び第２の水平バー１１６並びに第１のクロスバー１１８及び第２のクロスバー１２０を含むカート１１０を示す。前輪１２８、１３２及び後輪１３０、１３４は、第３の距離Ｄ３を置いて離間されているため、車輪１２８、１３０、１３２、１３４間の面積が、図１〜図７のカート１０と関連して上述したような占有面積を画定する。図８のカート１１０は、中間容器１６０を支持するブラケット１３６及び１３８をさらに含む。クロス部材１４０が支柱１２２、１２４の上部において第１の支柱１２２と第２の支柱１２４との間で連結されており、第１の上部容器フレーム１４２及び第２の上部容器フレーム１４４を支持する。２つの上部容器１５６が第１の上部容器フレーム１４２において支持されており、第２の上部容器フレーム１４４は空の状態で示されている。ハンドル１３５及び前方袋フレーム１５０が下方に枢動したそれぞれの収納位置において示されている。
【００７２】
図９〜図１２は、ハンドル１３５及び前方袋フレーム１５０が展開位置にあるカート１１０を示す。ハンドル１３５及び前方袋フレーム１５０は、図１〜図７のカート１０に関して上述したように、それらの動作位置において定位置にロックすることができ、また、それらの収納位置において定位置にロックすることができる。図９〜図１２はまた、カバー１５８を含む４つの上部容器１５６の使用を示す。
【００７３】
引き続き図９〜図１２の実施形態を参照すると、第１のバー部分１１４Ａ及び１１６Ａが図９〜図１１の第２のバー部分１１４Ｂ、１１６Ｂに対して異なる位置まで調整され、それによって、第１のバー１１４及び第２のバー１１６の異なる長さを提供するところが示されている。前輪１２８、１３２と後輪１３０、１３４との間の距離も図９〜図１２で変化している。特に、前輪１２８、１３２及び後輪１３０、１３４は、図９では、図８の第３の距離Ｄ３よりも大きい第４の距離Ｄ４を置いて互いから離間している。したがって、図９のフレーム占有面積は図８のフレーム占有面積よりも大きい。前輪１２８、１３２及び後輪１３０、１３４は、図１０では、図９の第４の距離Ｄ４よりも大きい第５の距離Ｄ５を置いて離間している。したがって、図１０のフレーム占有面積は図９のフレーム占有面積よりも大きい。前輪１２８、１３２及び後輪１３０、１３４は、図１１では、図１０の第５の距離Ｆ５よりも大きい第６の距離Ｄ６を置いて離間している。したがって、図１１のフレーム占有面積は図１０のフレーム占有面積よりも大きい。また、図１０及び図１１に示されるカートの構成はさらなる支持のために第３のクロスバー１４６を含む。
【００７４】
ここで図１２を参照すると、カート１１０は、第１の水平バー１１４及び第２の水平バー１１６並びに第２のクロスバー１２０又は第３のクロスバー１４６のいずれか１つ又は複数上で支持される前方支持トレイ１８２を有するように構成することができる。図１２に示されるトレイ１８２は、図示のようなリブ付きトレイであってもよく、又は種々の清掃用品及び清掃用具、例えばくず入れ容器、真空掃除機、モップバケツ等のいずれかのための任意の他のタイプの支持体であってもよい。
【００７５】
図１３は、さらに別の形態にある清掃用カート１１０を示し、この場合、カート１１０は、第２の支柱１２４に連結されているモップバケツ支持体１８４を含む。モップバケツ１８６がモップバケツ支持体１８４上に位置決めされて示されており、モップバケツ支持体１８４は、前方袋フレーム５０と関連して上述したタイプの１つ又は複数のブラケットによって第１の支柱１２２又は第２の支柱１２４に解放可能に連結することができる。モップバケツ支持体１８４には、モップバケツ１８６及びモップバケツ１８６内の流体の重量を支持するために１つ又は複数の車輪１８８を設けることができる。この車輪１８８は、図１〜図７の示される実施形態の前輪２８、３２及び後輪３０、３４と関連して上述した形態のいずれかをとることができる。図１３に示される前方袋フレーム１５０は、前方支持トレイ１８２の上方でごみ容器１９０を支持して示されている。他の実施形態では、リブ付き前方支持トレイ１８２がごみ容器又は他の付属品を支持することができる。図１３の実施形態に示される別の付属品は、真空掃除機１９２を支持する真空掃除機支持体１９４である。真空掃除機支持体１９４は、（例えば前方袋フレーム５０と関連して上述したタイプの）１つ又は複数の好適なブラケットを介して第１の支柱１２２及び第２の支柱１２４のいずれかに連結する等によってフレーム１１２に連結することができる。
【００７６】
図１４〜図２０は、本発明によるカート２１０の別の実施形態の種々の構成を示す。この実施形態は、図１〜図１３及び図２１〜図３５と関連して上述したカートの実施形態と同じ構造の多くを採用し、同じ特性の多くを有する。したがって、以下の説明は、図１〜図１３及び図２１〜図３５と関連して上述した実施形態とは異なる構造及び特徴に主に焦点を当てる。その構造及び特徴、並びに図１４〜図２０に示されると共に後述されるカート２１０の構造及び特徴に対する可能な代替形態に関するさらなる情報については、図１〜図１３及び図２１〜図３５と関連する上記の説明を参照されたい。図１〜図１３と関連して上述した実施形態における特徴及び部材に対応する図１４〜図２０の実施形態における特徴及び部材は、２００番台の参照符号で番号付けされている。
【００７７】
図１４〜図１６は、車輪２２８、２３０、２３２、２３４上で支持される水平バー２１４、２１６、クロスバー２１８、２２０及び支柱２２２、２２４を含むフレーム２１２を有するカート２１０を示す。図示のカート２１０は、上部フレームクロス部材２４０（図１４〜図１６では見えないが、支柱２２２、２２４間に位置決めされている）と、上部容器２５６を支持する第１の上部容器フレーム２４２及び第２の上部容器フレーム２４４とをさらに含む。図示のカート２１０はまた、ブラケット２３６Ａ及び２３８Ａで支持されると共に上部容器２５６の下方に位置決めされる第１の中間容器２７４と、第１の中間容器２７４の下方に位置決めされると共にブラケット２３６Ｂ及び２３８Ｂで支持される第２の中間容器２７８と、ブラケット２３６Ｄ及び２３８Ｄで支持されると共に第１の中間容器２７４及び第２の中間容器２７８の下方に位置決めされる下側容器２９６とを含む。図示の容器２７４、２７８及び２９６はカバーを含まないが、他の実施形態ではカバーを含んでもよい。
【００７８】
図１４に示されるように、下側支持バー２９８が、第１の支柱２２２と第２の支柱２２４との間に延び、カート２１０にさらなる構造的安定性を与え、いくつかの実施形態では下側容器２９６を支持することができる。図１４〜図２０に示されるように、本発明のいくつかの実施形態は、モップ、ほうき又は他の清掃具のハンドルを解放可能に保持するような形状の１つ又は複数のブラケット２００を有することができる。ブラケット２００は、容器フレーム若しくは袋フレーム２４２、２４４のいずれかに連結してもよく、又は図１及び図２に示される前方袋フレーム５０と関連して上述したブラケットと同様に支柱２２２、２２４のいずれかに直接取り付けてもよい。
【００７９】
図１５及び図１６に示されるカートの形態では、前方袋フレーム２５０が含まれており、図１及び図２の示される実施形態において前方袋フレーム５０と関連して上述した方法で第１の支柱２２２からの第１のごみ容器２９０Ａ及び第２のごみ容器２９０Ｂを支持する。同様に図１５及び図１６に示されるように、所望であれば用具ハンドルブラケット２００を前方袋フレーム２５０にも取り付けることができる。用具ハンドルブラケット２０２の別の実施形態が図１５及び図１６に示されており、カート２１０のハンドル２３５に取り付けるように構成される。
【００８０】
清掃用カート２１０によって支持することができる別の付属品はロールストックホルダー２０４である。ロールストックホルダー２０４は、限定されないが、ダストモップシート又はスリーブ、袋、紙タオル、雑巾、及びロール形態で見られる任意の他の製品を含む任意のタイプのロールストックを保持するのに使用することができる。例えば、図１５に示されるように、図示のロールストックホルダー２０４は、ダストモップシートのロールを支持し、ブラケット２０５によって清掃用カート２１０の支柱２２２、２２４のいずれかに取り付けることができる。ブラケット２０５は、図１及び図２の示される実施形態において前方袋フレーム５０を取り付けるのに使用されるブラケット３６と関連して上述した形態のいずれかをとることができる。ロールストックホルダー２０４は、多くの任意選択的なカートの特徴部又は付属品のうちの１つとして、本明細書において開示される清掃用カートの実施形態のいずれにも含めることができることに留意されたい。同様に図１５に示されるカートの形態を参照すると、図１３に示されるモップバケツと同様のモップバケツ２８６を支持するモップバケツ支持体２８４が示されている。図１３に示されるモップバケツ支持体１８４と同様に、モップバケツ支持体２８４は、モップバケツ２８６の重量をさらに支持するために車輪２８８を有することができる。図１６も、車輪２８８を有する第２のタイプのモップバケツ支持体２８４Ａ上で支持される第２の種類のモップバケツ２８６Ａを示す。
【００８１】
図１７〜図２０に示される清掃用カートの形態はそれぞれ、特に、第１の上部容器フレーム２４２及び第２の上部容器フレーム２４４で支持される上部容器２５６及びカバー２５８と、ブラケット２３６、２３８によって第１の支柱２２２及び第２の支柱２２４で支持される深い中間容器２６０とを有する。図１７〜図２０に示される清掃用カートの形態の各々では、下側容器２６４及びカバー２６６もフレーム２１２上で支持される。図１９及び図２０の構成では、実質的に同一の左右にある下側容器２６４及びカバー２６６がフレーム２１２上で支持されており、図１７及び図１８の構成では、下側容器２０６の一方がブラケット２３６Ｅ及び２３８Ｅで支持されているが、他方の下側容器２６４が底部容器を支持する方法に関して上述したいずれかの方法で支持される。したがって、図１７及び図１８の示される構成では、ブラケット２３６Ｅ及び２３８Ｅは支柱２２２、２２４から１つの方向へのみ延びる。他の実施形態では、下側容器２０６は本明細書において記載される他のいずれかの方法でフレーム２１２上で支持される。
【００８２】
図１７、図１８及び図２０のカートの形態は各々、図１及び図２の第１の支柱上の前方袋フレーム５０の取り付け構成と関連して上述したいずれかの方法で第２の支柱２２４に接続されている後方袋フレーム２５２で支持される後方容器２７０の例を提供する。図１７、図１８及び図２０の示される実施形態では、後方容器カバー２７２が含まれているが、所望であれば省いてもよい。第１の種類の後方容器２７０が図１７及び図１８に示されており、第２の種類の後方容器２７０が図２０に示されている。これらの２つの種類の後方容器２７０はいずれも、本明細書において説明及び／又は示される清掃用カートの実施形態のいずれかにおいて用いることができる。
【００８３】
図１８のカートの形態では、カート２１０の前輪２２８、２３２及び後輪２３０、２３４が距離Ｄ７だけ離間して位置決めされており、ごみ容器２９０Ａ、２９０Ｂが前方袋フレーム２５０及び前方支持トレイ２５４によって支持されており、ロールストックホルダー２０４が第１の支柱２２２に連結されており、モップが、下側容器６４上の、図１７に示される位置とは異なる位置で保管されている。図１９のカートの形態では、カート２１０の前輪２２８、２３２及び後輪２３０、２３４が距離Ｄ７よりも大きい距離Ｄ８だけ離間して位置決めされており、フレーム２１２は上述したいずれかの方法で延びており、前方支持トレイ２５４はフレーム２１２によって下から支持されている。
【００８４】
図１９及び図２０は、特に、上述した第１の前方袋フレーム２５０に取り付けられているさらなる前方袋フレーム２０９で支持されているさらなる前方容器２０８Ａ及び２０８Ｂをさらに示す。さらなる前方袋フレーム２０９は、前方袋フレーム２５０に連結されており、前方袋フレーム２５０から支持されており、締結具、ブラケット及び任意の他の解放可能又は非解放可能なコネクタ等によって任意の好適な方法で前方袋フレーム２５０に連結することができる。
【００８５】
本発明のいくつかの実施形態では、容器の内部へアクセスすることができることを防止若しくは阻止すること、及び／又はカートからの容器の取り出しを防止若しくは阻止することが望ましい。このように、清掃用カートから盗まれる機会が減る。容器の内部へのアクセスを防止又は阻止するのに使用することができるバリア装置のいくつかの例が図３６〜図５３に示されている。
【００８６】
まず図３６〜図３９を参照すると、図示の清掃用カート５１０に、上部容器５５６に隣接する第１の回転バリア５２５が設けられている。第１の回転バリア５２５は、上部容器５５６の取り出しを防止又は阻止すると共に、上部容器カバー５５８を介した上部容器５５６の内部へのアクセスを防止又は阻止する。第１の回転バリア５２５は、閉位置（図３６、図３７及び図３９を参照）で固定することができ、いくつかの実施形態では、ロックヒンジ５２９によって開位置（図３８を参照のこと）でも固定することができ、ロックヒンジ５２９は、ロックヒンジ５２９の部分間の相対的な回転を防止するようにロックヒンジ５２９と係合するタブ５１９を引っ張ることによって解放することができる。そのような実施形態では、ロックヒンジ５２９は、ユーザーが第１の回転バリアを開位置へ動かすためにキーを有する必要はないが、（特に許可のない者がロックヒンジ５２９を解放することができる方法を知らない場合）上部容器５５６への許可のないアクセスに対する或るレベルの抵抗を提供する。他の実施形態では、（例えばキー又はコードダイアルによって操作可能な）機械的なロックを使用して、ロックヒンジ５２９を固定するか、かつ／又は第１の回転バリアを閉位置に固定してさらなる安全性を提供することができる。
【００８７】
別のタイプの回転バリア５２５’が図４０〜図４３に示されており、上部容器５５６’の取り出しを阻止すると共に上部容器カバー５５８’を介した上部容器５５６’の内部へのアクセスを阻止するために上部容器５５６’に隣接してカート５１０’に連結されている。必須ではないが、図示の実施形態では、回転バリア５２５’をカート５１０’に対して閉位置に保持するためにキーロック５２６が含まれている。キーロック５２６の代わりに他のロック構成を使用してもよい。
【００８８】
図４１に最も良く示されるように、回転バリア５２５’を、カート５１０’において中間容器５７４’及び底部容器５６４’に隣接して下方に延びるロックプレートに機械的に連結することができる。ロックプレート（図示せず）は、回転バリア５２５’がその閉位置まで移動すると中間容器５７４’及び底部容器５６４’と係合し、回転バリアがその開位置まで移動すると中間容器５７４’及び底部容器５６４’を解放するような形状にすることができる。
【００８９】
第３のタイプの回転バリア５２５’’が図４４及び図４５に示されており、上部容器５５６’’の取り出しを阻止すると共に上部容器カバー５５８’’を介した上部容器５５６’’の内部へのアクセスを阻止するために上部容器５５６’’に隣接してカート５１０’’に連結されている。図示の実施形態はまた、図４４及び図４５に示されるように収納位置と展開位置との間で回転することができ、本明細書において記載されるいずれかの方法で展開位置に固定することができるハンドル５３５’’を含む。回転バリア５２５’’の収納位置（図４４を参照のこと）では、回転バリア５２５’’の脚が清掃用カート５１０’’の上部にある孔５９１’’内に摺動可能に受け入れられている。回転バリア５２５’’の展開位置及びロック位置（図４５を参照のこと）では、回転バリア５２５’’の脚が清掃用カート５１０’’の上部にある孔５９１’’を通して引き出されており、回転バリア５２５’’は、回転バリア５２５’’が容器５５６’’及び容器カバー５５８’’を横切って延びる位置まで回転している。回転バリア５２５’’にあるタブ５９３又は他の突起が、カート５１０’’にある、図４４及び図４５に示されるようなキーロック５２６Ａ等のロックと係合することができ、それによって回転バリア５２５’’をロック位置に固定する。
【００９０】
図４４及び図４５に示されている後退可能な回転バリア５２５’’は、図１〜図３５と関連して説明及び／又は示される清掃用カートの実施形態のいずれにおいても用いることができる。そのような場合、回転バリア５２５’’の脚は、清掃用カートの第１の支柱及び第２の支柱内へ後退することができる。また、本明細書において説明及び／又は示される清掃用カートの実施形態のいずれにおいても、任意の数の回転バリア５２５’’を使用して、例えば単一の回転バリアが上部容器の全てを固定するように位置決めされないか又は上部容器の全てを固定するような形状ではない実施形態において、上部容器の全てを固定することができる。
【００９１】
図４４及び図４５の示される実施形態はまた、ドア５３０及びドア５３０をカート５１０’’に対してロックするための第２のキーロック５２６Ｂを含み、カート５１０’’が運ぶ種々の容器へのアクセス及び取り出しを阻止する。
【００９２】
図４０〜図４３と関連して上述したように、上部容器を固定する一方で清掃用カートにおいて１つ又は複数の中間容器又は底部容器を固定することが望ましい場合が多い。図４６及び図４７は、この機能を行うロックアセンブリの概略図を示す。図４４及び図４５の回転バリア５２５’’がロック位置へ回転すると、上述したタブ５９３’’が清掃用カート５１０’’の上部にある孔（図示せず）内に受け入れられることができる。タブ５１９は、垂直ロックバー５３１’’を下方向へ押し、ロックバー５３１’’をばね５３３の力に抗して移動させ、それによってロックバー５３１’’にある受け孔をシフトさせて容器５７４’’、５７８’’との位置合わせから外す。このように、容器５７４’’、５７８’’を清掃用カート５１０’’から持ち出すことが防止される。回転バリア５２５’’が移動してロック解除位置へ戻ると、ばね５３３は垂直バー５３１’’に上方へバイアスをかけて容器５７４’’、５７８’’の側面と垂直バー５３１’’にある孔とを位置合わせし、容器５７４’’、５７８’’がブラケット５３６’’、５３８（図４６及び図４７には示さず）内で摺動することを可能にする。
【００９３】
図４８〜図５０は、可動式清掃用カート１２１０内に容器をロックする別の実施形態を示す。図示の実施形態は、複数の上部容器１２５６を許可のないユーザーが取り出すか又はアクセスしないように固定することができる回転バリア１２２５を含む。図示の回転バリア１２２５は、回転バリア１２２５をロック位置に固定することができるキーロック１２２６を含む。いくつかの実施形態では、上部容器１２５６の１つ又は複数はそれぞれ容器カバー１２５８を含むことができる。しかし、回転バリア１２２５は、容器カバー１２５８を用いるか又は用いることなく上部容器１２５６をカート１２１０に固定することができる。図示の実施形態では、回転バリア１２２５は、図４８に示されるようなロック位置に回転バリア１２２５を保持するように支柱１２２４に固定される。いくつかの実施形態では、以下でより詳細に説明するように、支柱１２２４は、上部容器１２５６の下にある引き出し又は容器をロックするための１つ又は複数の嵌め合い突起又はリセスと係合することができる１つ又は複数の突起又はリセスを含む。
【００９４】
ロックを解除する場合、図４９に示されるように、回転バリア１２２５を、実質的に垂直な位置へ向かって支柱１２２４から離れるように上方へ回転させることができる。回転バリア１２２５の脚は、清掃用カート１２１０の上部にある孔１２９１内に摺動可能に受け入れられる。他の実施形態では、回転バリア１２２５は、（図４８〜図５０に示されるロッド状部材とは対照的に）細長いバー等、これらの機能を果たすのに好適な他の形状及びサイズを有することができる。そのような実施形態では、直前に説明した回転バリア１２２５を受け入れる孔１２９１の数、形状及び位置は、回転バリア１２２５の形状及びサイズに基づいて適合させることができる。回転バリア１２２５は、使用しないときはカート１２１０内に収納することができる。
【００９５】
上部容器１２５６の１つ又は複数は、容器内部を密閉する容器カバー１２５８を含むことができる。カバー１２５８は、カバー１２５８をそれぞれの上部容器１２５６に固定するためにキーロック１２２６Ａ又は他の好適なロック（例えばダイアルロック）を含むことができる。キーロック１２２６Ａは、キーロック１２２６と同じか又は異なるキーによって操作することができる。いくつかの実施形態では、キーロック１２２６Ａのうちの一方は、例えばロックタブを隣接する容器１２５６にある位置合わせされた孔内へ挿入することによって２つの隣接する容器カバー１２５８をそれぞれの容器１２５６にロックすることができる。キーロック１２２６は、キーロック１２２６Ａと組み合わせて使用してもよく、又はいずれかを独立して使用してもよい。
【００９６】
図５１〜図５４は、１つ又は複数の容器１３５６及びそれぞれのカバー１３５８をカート１３１０に保持する可動式清掃用カートの回転バリア１３２５のさらに別の実施形態を示す。回転バリア１３２５は、図４８〜図５０に示される回転バリア１２２５と同様の方法で収納することができる。図５１〜図５４は、ロック解除形態にあるロック１３２６と、同様にロック解除位置にある垂直ロックバー１３３１とを示す。図示のロック１３２６は（本明細書において説明及び／又は示されるロックのいずれにも使用することができる）ダイアルロックであるが、他の実施形態では、その代わりにキーロック又は他の好適なロックであってもよい。回転バリア１３２５は、図５３及び図５４に示すように座部１３３９と当接するか又は別様にロック位置に係止する端部１３３７を含むことができる。垂直ロックバー１３３１は、例えば図４６及び図４７と関連して上述した方法と同様の方法で、バイアス部材（図示せず）を用いて上方へバイアスしてロック解除位置にすることができる。図５１及び図５２に示される回転バリアの端部１３３７は垂直バー１３３１に対して係止しているが、上方にバイアスをかけられて座部１３３９から離間する。いくつかの実施形態では、垂直バー１３３１を省いてもよい。そのような実施形態では、端部１３３７はロック解除形態で座部１３３９に当接することができるため、バイアス部材も省かれる。
【００９７】
ロック１３２６は、支柱１３２４のリセス１３４３と係合及び係脱するように回転可能な回転突起１３４１（図５１及び図５３を参照のこと）を含む。図５１では、回転突起１３４１は、リセス１３４３から離間しているため、回転バリアの端部１３３７が座部１３３９から離れるように自由に移動する。図５３では、突起１３４１はリセス１３４３内へ延びており、回転バリアの端部１３３７が座部１３３９から離れるように移動することを阻止する。フレーム又は他の隣接する構造に対してバリアをロックするように選択的に係合する種々の嵌合面のいずれか等、他のロック構成を用いることができる。
【００９８】
カート１３１０は、本発明の他の実施形態と関連して上記で説明及び／又は示したもののいずれか等の、ブラケット１３３６で摺動可能に支持される少なくとも１つの容器１３６０を含むことができる。ブラケット１３３６は、その内部に延びる孔１３５７を含むことができ、容器１３６０は、容器１３６０がカート１３１０上に収納されると孔１３５７と実質的に位置合わせされる孔１３５９を含むことができる。図示の実施形態では、孔１３５７及び１３５９は実質的に細長いスロットである。しかし、他の実施形態では、孔１３５７及び１３５９は、円形、卵形若しくは他の丸い形状を有してもよく、三角形、正方形であってもよく、又は別の多角形形状を有してもよく、不規則形状を有してもよく、又は任意の他の好適な形状を有してもよい。
【００９９】
垂直ロックバー１３３１は、図５２〜図５４に示すように、垂直ロックバー１３３１から延びる少なくとも１つの突起１３５３を含むことができる。少なくとも１つの突起１３５３は、孔１３５７、１３５９を延び、容器１３６０をブラケット１３３６及び／又はカート１３１０にロックすることができる。突起１３５３は、図５２では容器１３６０がブラケット１３３６に沿って摺動することができるように孔１３５７、１３５９から離間して示されており、図５４では容器１３６０がブラケット１３３６に沿って摺動することを阻止又は防止するように両方の孔１３５７、１３５９を通って延びて示されている。同様の突起１３５３及び孔１３５７、１３５９を設けて任意の数の容器１３６０をカート１３１０に固定してもよい。したがって、垂直ロックバー１３３１が回転バリアの端部１３３７によって移動すると、突起１３５３が孔１３５７、１３５９に挿入されて容器１３６０がカート１３１０にロックされる。また、回転バリア１３２５は、上部容器１３５６及びそれぞれのカバー１３５８をカート１３１０にロックするように回転突起１３４１をリセス１３４３内に移動させることによってロックすることができる。したがって、単一のロック１３２６を使用して、上部容器１３５６及びそれぞれのカバー１３５８及び１つ又は複数の容器１３６０をカート１３１０に同時にロックすることができる。
【０１００】
上述したロック装置及び構造はいずれも、本明細書において説明及び／又は示される清掃用カートの実施形態のいずれとも併用することができることに留意されたい。
【０１０１】
再び図４０〜図４３に示される清掃用カート５１０’を参照すると、本発明のいくつかの実施形態は、複数の物品を内部で垂直の向きで保持するように構成される容器５４５’を用いる。そのような容器５４５’は、本発明の上記実施形態のいずれかによる清掃用カートによって運ぶことができる。このために、各容器５４５’の後方に、容器５４５’を垂直の向きで保持するために清掃用カート５１０’に取り付けられるように構成される１つ又は複数のブラケット（図示せず）を設けることができる。そのような実施形態では、ブラケットは、本明細書において記載される形状のいずれかをとることができ、清掃用カートの第１の支柱又は第２の支柱、清掃用カートの袋フレーム又は容器フレーム等に直接取り付けることができる。
【０１０２】
垂直容器５４５’は、垂直容器５４５’に蝶着することができる垂直向きのカバー５４７’を含むことができる。図４０〜図４３の示される実施形態では、ヒンジ５４９’は垂直容器５４５’及びそれぞれのカバー５４７’の下部にあり、カバー５３７’が垂直容器５４５’に対して下方向へ回転することを可能にする。他の実施形態では、ヒンジ５４９’は、反対方向の回転のために垂直容器５４５’の上部に位置決めされる。さらに他の実施形態では、ヒンジ５４９’は、垂直容器５４５’の右縁部又は左縁部に位置決めされる。
【０１０３】
種々の物品はいずれも垂直容器５４５’内に収容することができる。例えば、図４０〜図４３の示される実施形態では、垂直容器５４５’は、２つの異なる長さのモップヘッド５５１Ａ’、５５１Ｂ’を収容する。垂直容器５４５’はそれぞれ、モップヘッド又は他の清掃具又は清掃用品を垂直容器５４５’内で垂下するための１つ又は複数のハンガー５５５’を有することができる。
【０１０４】
いくつかの実施形態では、垂直容器５４５’及びカバー５４７’は、予め湿らせたモップヘッド又は他の予め湿らせた清掃具ヘッドが完全に乾燥するのを防止するために水密シールを形成することができる。また、いくつかの実施形態では、垂直容器５４５’及びカバー５４７’はこの同じ目的のために気密シールを形成することができる。
【０１０５】
上述し図面に示した実施形態は例示として提示されているにすぎず、本発明の概念及び原理を限定するものとしては意図されない。したがって、当業者には、本発明の精神及び範囲から逸脱することなく部材並びにそれらの構成及び配置における種々の変更が可能であることが理解されるであろう。本発明の種々の特徴及び利点は添付の特許請求の範囲に記載される。
【図１】
2012500147.tif 000003
【図２】
2012500147.tif 000004
【図３】
2012500147.tif 000005
【図４】
2012500147.tif 000006
【図５】
2012500147.tif 000007
【図６】
2012500147.tif 000008
【図７】
2012500147.tif 000009
【図８】
2012500147.tif 000010
【図９】
2012500147.tif 000011
【図１０】
2012500147.tif 000012
【図１１】
2012500147.tif 000013
【図１２】
2012500147.tif 000014
【図１３】
2012500147.tif 000015
【図１４】
2012500147.tif 000016
【図１５】
2012500147.tif 000017
【図１６】
2012500147.tif 000018
【図１７】
2012500147.tif 000019
【図１８】
2012500147.tif 000020
【図１９】
2012500147.tif 000021
【図２０】
2012500147.tif 000022
【図２１】
2012500147.tif 000023
【図２２】
2012500147.tif 000024
【図２３】
2012500147.tif 000025
【図２４】
2012500147.tif 000026
【図２５】
2012500147.tif 000027
【図２６】
2012500147.tif 000028
【図２７】
2012500147.tif 000029
【図２８】
2012500147.tif 000030
【図２９】
2012500147.tif 000031
【図３０】
2012500147.tif 000032
【図３１】
2012500147.tif 000033
【図３２】
2012500147.tif 000034
【図３３】
2012500147.tif 000035
【図３４】
2012500147.tif 000036
【図３５】
2012500147.tif 000037
【図３６】
2012500147.tif 000038
【図３７】
2012500147.tif 000039
【図３８】
2012500147.tif 000040
【図３９】
2012500147.tif 000041
【図４０】
2012500147.tif 000042
【図４１】
2012500147.tif 000043
【図４２】
2012500147.tif 000044
【図４３】
2012500147.tif 000045
【図４４】
2012500147.tif 000046
【図４５】
2012500147.tif 000047
【図４６】
2012500147.tif 000048
【図４７】
2012500147.tif 000049
【図４８】
2012500147.tif 000050
【図４９】
2012500147.tif 000051
【図５０】
2012500147.tif 000052
【図５１】
2012500147.tif 000053
【図５２】
2012500147.tif 000054
【図５３】
2012500147.tif 000055
【図５４】
2012500147.tif 000056
【国際調査報告】
2012500147.tif 000057
2012500147.tif 000058